(57)【要約】【課題】反射板の設置の効率化による設置時間の短縮が出来る電波反射器を実現する。【解決手段】電波送信機と電波受信機との間に存在する電波障害物を迂回して電波を反射し電波送信機からの送信を電波受信機で受信する電波反射器において、一方の面に設けられ前記送受信電波及び可視光を反射する鏡面を有する反射板と、この反射板の他方の面に一端が接続されこの反射板の面に直交する方向にこの反射板を移動する移動手段とを具備したことを特徴とする電波反射器である。【選択図】図１
2012199617.tif 000002
【特許請求の範囲】
【請求項１】
電波送信機と電波受信機との間に存在する電波障害物を迂回して電波を反射し電波送信機からの送信を電波受信機で受信する電波反射器において、
一方の面に設けられ前記送受信電波及び可視光を反射する鏡面を有する反射板と、
この反射板の他方の面に一端が接続されこの反射板の面に直交する方向にこの反射板を移動する移動手段と
を具備したことを特徴とする電波反射器。
【請求項２】
前記反射板は、平面あるいは凸面あるいは凹面であること
を特徴とする請求項１記載の電波反射器。
【請求項３】
前記移動手段は、一方の端が前記反射板の他方の面に直交して接続された案内棒と、
この案内棒の他方の端側が一方の端側に摺動自由に挿入される筒状の支持筒と、
この支持筒に設けられ前記案内棒の他方の端側をこの支持筒に固定する固定ねじと
を具備したことを特徴とする請求項１乃至請求項２の何れかに記載の電波反射器。
【請求項４】
前記電波送信機に設けられ可視光レーザーを発する可視光レーザー発信機と、
前記電波受信機に設けられ前記可視光レーザーを前記反射板を介して受光し前記反射板の反射位置を調整する可視光レーザー受信機と、
を具備したことを特徴とする請求項１乃至請求項３の何れかに記載の電波反射器。
【請求項５】
前記電波送信機に設けられ前記電波受信機の像を前記反射板を介して視認し前記反射板の反射位置を調整する望遠レンズ、あるいは、
前記電波受信機に設けられ前記電波送信機の像を前記反射板を介して視認し前記反射板の反射位置を調整する望遠レンズ、
を具備したことを特徴とする請求項１乃至請求項３の何れかに記載の電波反射器。
【発明の詳細な説明】
【技術分野】
【０００１】
本発明は、電波反射器に関するものである。
更に詳述すれば、視覚調整可能な反射鏡を用いた無線通信を中継する電波反射器に関するものである。
【背景技術】
【０００２】
図５は従来より一般に使用されている従来例の要部構成説明図で原理を示す模式図、図６は図５の正面図及びその側面図、図７は図６設置例図である。
【０００３】
図において、図６の正面図及びその側面図に示すように、電波反射板１０は別体の方向調整装置１１を方向調整治具として具備する。
【０００４】
この方向調整装置１１は、電波反射板１０の電波反射面に平行な基面1ａを有する取付基体１と、この取付基体１の基面１ａに直角に一体的に立設され且つ長手方向軸心に穿設した直線案内溝2ａと根元の基点Ｏ（取付基体１の一縁辺の中心）に突設する中心ピン５とを備える垂直棒２と、この中心ピン５に一端を枢着し垂直棒２の長手方向軸心を中心に左右対称に開脚する一対の方位指示棒３−１，３−２と、この一対の方位指示棒３−１，３−２それぞれに中心ピン５から等距離に設けた支点Ｃ，Ｄ、即ち固定ピン６，７に一端を枢着し、垂直棒２の直線案内溝2ａに沿って移動する移動点Ｐ、即ちナット8ａを螺着した摺動ねじ８に他端を枢着し垂直棒２の長手方向軸心を中心に左右対称に開脚する長さの等しい一対の角度調整棒４−１，４−２とで構成する。
なお、この方向調整装置１１は調整治具として使用するため、さらに取付基体１に電波反射板１０を挟む当て板９を付設し方向調整後に結合ねじ９ａでナット９ｂ止めする。
【０００５】
方向調整は、図７の設置例図に示すように先ず、一方の方位指示棒３−１を一方の可搬型無線装置の設置点Ｘに向けて頑丈な三脚（図示略）に固定する。そうして、この方位指示棒３−１を基準にしナット８ａを弛めた摺動ねじ８を直線案内溝２ａに沿って移動させ他方の方位指示棒３−２を連動して開脚調節しその軸心を他方の可搬型無線装置の設置点Ｙに合わせる。
【０００６】
そうすれば、垂直棒２に対し直角な取付基体１の基面は方向調整すべき角度に自ずと一致するため、取付基体１と当て板９とで電波反射板１０を挟み結合ねじ９ａで固定することで電波反射板１０の方向が決定されるので仮設置する。
【０００７】
そのとき、電波反射板１０の電波反射面に対する電波の入射角αと反射角βはほぼ等しくなる。しかし、この方向調整は飽くまでも粗調整であるため、電波反射板１０の仮設置後は、実際に送信し受信側において最大利得を得る方向に電波反射面を微調整し正式に設定完了する。
【先行技術文献】
【特許文献】
【０００８】
【特許文献１】特開平０６−０６１７２９号公報
【発明の概要】
【発明が解決しようとする課題】
【０００９】
このような装置においては、以下の問題点がある。
角度調整する際には、一般的に観測した通信信号の情報を時間的に平均化する等した値を目視し、角度の調整を行うため、判断情報の取得と角度調整の判断を含めて設置時間が掛かる。
また、反射板までの見通し経路範囲の直接到達する電波と、マルチパス干渉波の調整を同時に行い、調整が難しくなり設置時間がかかる可能性がある。
【００１０】
本発明の目的は、上記の課題を解決するもので、反射板の設置の効率化による設置時間の短縮が出来る電波反射器を提供することにある。
【課題を解決するための手段】
【００１１】
このような課題を達成するために、本発明では、請求項１の電波反射器においては、
電波送信機と電波受信機との間に存在する電波障害物を迂回して電波を反射し電波送信機からの送信を電波受信機で受信する電波反射器において、一方の面に設けられ前記送受信電波及び可視光を反射する鏡面を有する反射板と、この反射板の他方の面に一端が接続されこの反射板の面に直交する方向にこの反射板を移動する移動手段とを具備したことを特徴とする。
【００１２】
本発明の請求項２の電波反射器においては、請求項１記載の電波反射器において、
前記反射板は、平面あるいは凸面あるいは凹面であることを特徴とする。
【００１３】
本発明の請求項３の電波反射器においては、請求項１又は請求項２記載の電波反射器において、
前記移動手段は、一方の端が前記反射板の他方の面に直交して接続された案内棒と、この案内棒の他方の端側が一方の端側に摺動自由に挿入される筒状の支持筒と、この支持筒に設けられ前記案内棒の他方の端側をこの支持筒に固定する固定ねじとを具備したことを特徴とする。
【００１４】
本発明の請求項４の電波反射器においては、請求項１乃至請求項３の何れかに記載の電波反射器において、
前記電波送信機に設けられ可視光レーザーを発する可視光レーザー発信機と、前記電波受信機に設けられ前記可視光レーザーを前記反射板を介して受光し前記反射板の反射位置を調整する可視光レーザー受信機と、を具備したことを特徴とする。
【００１５】
本発明の請求項５の電波反射器においては、請求項１乃至請求項3の何れかに記載の電波反射器において、
前記電波送信機に設けられ前記電波受信機の像を前記反射板を介して視認し前記反射板の反射位置を調整する望遠レンズ、あるいは、前記電波受信機に設けられ前記電波送信機の像を前記反射板を介して視認し前記反射板の反射位置を調整する望遠レンズ、を具備したことを特徴とする。
【発明の効果】
【００１６】
本発明の請求項１によれば、次のような効果がある。
電波反射面に電磁波および可視光の鏡面反射板を用いたので、電波反射器の設置者の視覚的に電波反射面角度が確認でき、電波反射器の調整時間の短縮が出来る電波反射器が得られる。
鏡面反射板の鏡面に受信器を写しながら、移動手段により、鏡面反射板の鏡面の垂直方向調整ができるので、マルチパス干渉波の強弱のみを調整できる電波反射器が得られる。
【００１７】
本発明の請求項２によれば、次のような効果がある。
反射板は、平面あるいは凸面あるいは凹面が使用出来るので、反射板での広範な反射角度を得ることが出来る電波反射器が得られる。
凸面を使用した場合には、凸面であるので、水平、垂直角度の調整が不要になる電波反射器が得られる。
凹面を使用した場合には、凹面であるので、エネルギーが集中でき、電力を増幅できる電波反射器が得られる。
【００１８】
本発明の請求項３によれば、次のような効果がある。
移動手段は、一方の端が反射板の他方の面に直交して接続された案内棒と、この案内棒の他方の端側が一方の端側に摺動自由に挿入される筒状の支持筒と、この支持筒に設けられ案内棒の他方の端側をこの支持筒に固定する固定ねじとが設けられたので、簡潔な構成により反射板の移動が出来るので、安価な電波反射器が得られる。
【００１９】
本発明の請求項４によれば、次のような効果がある。
電波送信機に設けられ可視光レーザーを発する可視光レーザー発信機と、電波受信機に設けられ可視光レーザーを反射板を介して受光し、反射板の反射位置を調整する可視光レーザー受信機とが設けられたので、レーザーは直進性が良好で、調整精度が向上された電波反射器が得られる。
【００２０】
本発明の請求項５によれば、次のような効果がある。
電波送信機に設けられ電波受信機の像を反射板を介して視認し反射板の反射位置を調整する望遠レンズ、あるいは、電波受信機に設けられ電波送信機の像を反射板を介して視認し反射板の反射位置を調整する望遠レンズ、が設けられたので、電波送信機と電波受信機との距離が長い場合でも、鏡面を目視で確認しながら調整ができ、遠距離でも調整可能な電波反射器が得られる。
また、安価簡易に調整できる電波反射器が得られる。
【図面の簡単な説明】
【００２１】
【図１】本発明の一実施例の要部構成説明図である。
【図２】図１の上方向から見た断面説明図である。
【図３】図１の動作説明図である。
【図４】本発明の他の実施例の要部構成説明図である。
【図５】従来例の要部構成説明図原理を示す模式図である。
【図６】図５の正面図及びその側面図である。
【図７】図６設置例図である。
【発明を実施するための形態】
【００２２】
以下本発明を図面を用いて詳細に説明する。
図１は本発明の一実施例の要部構成説明図、図２は図１の上方向から見た断面説明図、図３は図１の動作説明図である。
図において、図５と同一記号の構成は同一機能を表す。
以下、図５との相違部分のみ説明する。
【００２３】
図１において、反射板２１は、一方の面に設けられ、受信電波及び可視光を反射する鏡面２１１を有する。
この場合は、反射板２１は、平面状をなす。
この場合は、反射板２１は、可視光が反射できる粗さまで表面が研磨された金属板が使用されている。
【００２４】
移動手段２２は、この反射板２１の他方の面に一端が接続され、この反射板２１の面に直交する方向ａに、この反射板２１を移動する。
この場合は、移動手段２２は、一方の端が、反射板２１の他方の面に直交して接続された案内棒２２１と、この案内棒２２１の他方の端側が一方の端側に摺動自由に挿入される筒状の支持筒２２２と、この支持筒２２２に設けられ、案内棒２２１の他方の端側をこの支持筒２２２に固定する固定ねじ２２３とを有する。
【００２５】
取付基体２２４は、反射板２１と案内棒２２１の接続を強化するために設けられ、反射板２１と案内棒２２１とが、直交して組立てられることを確実にする。
固定ボルト２２５と固定ナット２２６とは、取付基体２２４に案内棒２２１を固定する。
【００２６】
図３に示す如く、この場合は、可視光レーザー発信機２３は、電波送信機２４に設けられ可視光レーザーｂを発する。
可視光レーザー受信機２５は、電波受信機２６に設けられ、可視光レーザーｂを受光し、反射板２１の反射位置を調整する。
Ａは電波障害物である。
【００２７】
ここで、電波反射器２０は、電波送信機１４と電波受信機１６との間に存在する電波障害物Ａを迂回して電波を反射し、電波送信機１４からの送信を、電波受信機１６で受信する場合に使用される。
また、反射板２１は、移動手段２２を方向調整具として使用する。
【００２８】
以上の構成において、取付基体２２４に、案内棒２２１の一端を、固定ボルト２２５と固定ナット２２６により固定し、反射板２１の水平方向の反射角度を固定する。
案内棒２２１を支持筒２２２の軸方向に滑らせ、固定ねじ２２３を締めることで、反射板２１の垂直方向の反射板位置を調整する。
【００２９】
以上において、図３に示す如く、具体的な使用例を示す。
反射板２１は、図のように、電波障害物Ａがある場合に使用する。
可視光Ｂの反射角と通信用電波Ｃの角度を一致させるため、反射鏡面２１１を電波送信機２４の送信アンテナ位置から目視で監視し、電波受信機２６の受信側アンテナを鏡面２１１の中央に位置するように調整する。これにより、鏡面２１１に直接到達する通信用電波が受信側経路との最短到達経路となる。
その後、電波品質を見ながら、垂直方向ａの位置を調整し、マルチパス干渉波による受信電力の調整をする。
【００３０】
この結果、
電波反射面に電磁波および可視光の鏡面反射板２１を用いたので、電波反射器２０の設置者の視覚的に電波反射面角度が確認でき、電波反射器２０の調整時間の短縮が出来る電波反射器が得られる。
鏡面反射板の鏡面２１１に電波受信機２６を写しながら、移動手段２２により、鏡面反射板の鏡面２１１の垂直方向調整ができるので、マルチパス干渉波の強弱のみを調整できる電波反射器が得られる。
【００３１】
移動手段２２は、一方の端が反射板２１の他方の面に直交して接続された案内棒２２１と、この案内棒２２１の他方の端側が一方の端側に摺動自由に挿入される筒状の支持筒２２２と、この支持筒２２２に設けられ案内棒２２１の他方の端側をこの支持筒２２２に固定する固定ねじ２２３とが設けられたので、簡潔な構成により、反射板２１の移動が出来るので、安価な電波反射器が得られる。
【００３２】
この場合は、電波送信機２４に設けられ可視光レーザーを発する可視光レーザー発信機２３と、電波受信機２６に設けられ可視光レーザーを反射板２１を介して受光し、反射板２１の反射位置を調整する可視光レーザー受信機２５とが設けられたので、レーザーは直進性が良好で、調整精度が向上された電波反射器が得られる。
【００３３】
図４は、本発明の他の実施例の要部構成説明図である。
図４において、望遠レンズ３１は、電波送信機２４に設けられ、電波受信機２６の像を、反射板２１を介して視認し、反射板２１の反射位置を調整する。
なお、望遠レンズ３１は、電波受信機２６に設けられても良い。
【００３４】
この結果、
電波送信機２４に設けられ、電波受信機２６の像を、反射板を介して視認し、反射板の反射位置を調整する望遠レンズ３１が設けられたので、
電波送信機２４と電波受信機２６との距離が長い場合でも、鏡面２１１を目視で確認しながら調整ができ、遠距離でも調整可能な電波反射器が得られる。
また、安価簡易に調整できる電波反射器が得られる。
【００３５】
なお、前述の実施例においては、反射板２１に付いて、平面と説明したが、これに限ることはなく、例えば、凸面あるいは凹面であっても良い。
反射板は、平面あるいは凸面あるいは凹面が使用出来るので、反射板での広範な反射角度を得ることが出来る電波反射器が得られる。
【００３６】
凸面を使用した場合には、凸面であるので、水平、垂直角度の調整が不要になる電波反射器が得られる。
凹面を使用した場合には、凹面であるので、エネルギーが集中でき、電力を増幅できる電波反射器が得られる。
【００３７】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００３８】
２１    反射板
２１１  鏡面
２２    移動手段
２２１  案内棒
２２２  支持筒
２２３  固定ねじ
２２４  取付基体
２２５  固定ボルト
２２６  固定ナット
２３    可視光レーザー発信機
２４    電波送信機
２５    可視光レーザー受信機
２６    電波受信機
３１    望遠レンズ
Ａ      電波障害物
ａ      直交する方向
ｂ      可視光レーザー
【図１】
2012199617.tif 000003
【図２】
2012199617.tif 000004
【図３】
2012199617.tif 000005
【図４】
2012199617.tif 000006
【図５】
2012199617.tif 000007
【図６】
2012199617.tif 000008
【図７】
2012199617.tif 000009